(57)【要約】【課題】完パケ作成後にビデオサーバに取り込みするときに、本編（ロール）分割、捨てカットなどの設定を行なわずに、ビデオサーバシステム上の本編情報に収録完了となるようにしたノンリニア編集送出システムを提供する。【解決手段】ノンリニア編集機で編集した完パケ素材を、ビデオサーバシステムに取り込む場合に、データベースに予め所定長の時間を所定長の捨てカットの時間として登録し、かつ、完パケ素材の本編（ロール）分割情報ファイルを収録し、上位装置から所定の時間に出力される番組構成表による送出命令と前記データベースに収録された前記本編（ロール）分割情報ファイルとをもとに、前記ビデオサーバから、前記所定長の捨てカットの時間を捨てカットの時間として使用して、収録された完パケ素材を送出する。【選択図】図１
2013150222.tif 000002
【特許請求の範囲】
【請求項１】
ノンリニア編集機、及び、少なくともデータベースとビデオサーバを有するビデオサーバシステムを備え、
前記ノンリニア編集機は、編集マンが前記ノンリニア編集機を操作することによって、前記ノンリニア編集機に入力された番組素材にマーク設定し、かつ編集を完了して完パケ素材とした場合に、前記編集完了した完パケ素材の本編分割情報ファイルを前記データベースに出力すると共に、当該完パケ素材を前記ビデオサーバに出力するノンリニア編集機であって、
前記データベースは、所定長の時間を所定長の捨てカットの時間として予め登録し、前記ノンリニア編集機から入力された前記本編分割情報ファイルを収録するデータベースであって、
前記ビデオサーバは、上位装置から所定の時間に出力される番組構成表による送出命令と前記データベースに収録された前記本編分割情報ファイルとをもとに、前記ビデオサーバから、前記所定長の捨てカットの時間を捨てカットの時間として使用して、収録された完パケ素材を送出することを特徴とするノンリニア編集送出システム。
【発明の詳細な説明】
【技術分野】
【０００１】
本発明は、ノンリニア番組の収録送出装置に関わり、特に、放送する番組素材を事前にビデオサーバなどの映像音声装置に収録し送出するノンリニア編集送出システムに関する。
【背景技術】
【０００２】
ノンリニア編集送出システムにおいては、ノンリニア編集機の編集結果を、本編（本編、または、ロールと称する）単位で分割作成及び管理し、本編単位でビデオサーバシステムに取り込みする必要があった。このとき、編集マンは、ノンリニア編集時に、本編の捨てカットに注意する必要があった。そして、編集マンは、ノンリニア編集機で一本化した素材から、各ロール（本編）のＩＮ点、ＯＵＴ点、デュレーション等を書留め、その書留めた情報を元に、ビデオサーバシステムに取り込み後に、検尺（本編分割（ロール分割））を行なう必要があった。
このように、ノンリニア編集送出システムにおけるノンリニア編集時には、ビデオサーバシステムに係る作業内容に注意を払って編集作業を行う（各本編のＩＮ点、ＯＵＴ点、デュレーション（素材長）等の情報の書留作業を行う）必要があり、注意力及び作業時間が多くなっていた。さらに、ビデオサーバ側では、前述の編集マンの情報に基づいて検尺しなければならず、情報確認を行う必要があった（特許文献１参照。）。
【先行技術文献】
【特許文献】
【０００３】
【特許文献１】特開２００８−５９９０号公報
【発明の概要】
【発明が解決しようとする課題】
【０００４】
本発明の目的は、ノンリニア編集機でビデオサーバシステムでの取り込み方法を意識することなく、番組制作を行うノンリニア編集送出システムを提供することにある。
また、本発明のノンリニア編集送出システムにおいては、完パケ作成後にビデオサーバに取り込みするときに、本編（ロール）分割、捨てカットなどの設定を行なわずに、自動で検尺し、ビデオサーバシステム上の本編情報に収録完了となることで、作業の手間と作業ミスを大幅に削減可能とする。
【課題を解決するための手段】
【０００５】
上記の目的を達成するために、本発明のノンリニア編集送出システムは、ノンリニア編集機、及び、少なくともデータベースとビデオサーバを有するビデオサーバシステムを備え、前記ノンリニア編集機は、編集マンが前記ノンリニア編集機を操作することによって、前記ノンリニア編集機に入力された番組素材にマーク設定し、かつ編集を完了して完パケ素材とした場合に、前記編集完了した完パケ素材の本編分割情報ファイルを前記データベースに出力すると共に、当該完パケ素材を前記ビデオサーバに出力するノンリニア編集機であって、前記データベースは、所定長の時間を所定長の捨てカットの時間として予め登録し、前記ノンリニア編集機から入力された前記本編分割情報ファイルを収録するデータベースであって、前記ビデオサーバは、上位装置から所定の時間に出力される番組構成表による送出命令と前記データベースに収録された前記本編分割情報ファイルとをもとに、前記ビデオサーバから、前記所定長の捨てカットの時間を捨てカットの時間として使用して、収録された完パケ素材を送出することを特徴とする。
【発明の効果】
【０００６】
本発明は、ノンリニア編集機でビデオサーバシステムでの取り込み方法を意識することなく、番組制作を行うこと、また完パケ作成後にビデオサーバに取り込みする際に、本編（ロール）分割、捨てカットなどの設定を行なわずに、自動で検尺しビデオサーバシステム上の本編情報に収録完了となることで、作業の手間と作業ミスを大幅に削減可能となる。
【図面の簡単な説明】
【０００７】
【図１】本発明の一実施例のノンリニア編集送出システムの構成を示すブロック図である。
【図２】本発明のノンリニア編集送出システムの一実施例における完パケ素材とＣＭチャンスとを説明するための図である。
【図３】本発明のノンリニア編集送出システムの一実施例において、ビデオサーバシステム１１０のデータベース１０２に取り込まれる本編分割情報ファイル３００のデータ構造の一例を示す図である。
【図４】本発明のノンリニア編集送出システムの一実施例において、ビデオサーバ１０３に取り込み後の素材管理の一例について説明するためのイメージ図である。
【図５】本発明の一実施例のノンリニア編集送出システムの構成を示すブロック図である。
【図６】本発明の一実施例のノンリニア編集送出システムの構成を示すブロック図である。
【図７】本発明の一実施例のノンリニア編集送出システムの構成を示すブロック図である。
【発明を実施するための形態】
【０００８】
本発明は、放送する番組素材を事前にビデオサーバなどの映像音声装置に収録し送出するノンリニア編集送出システムにおいて、ノンリニア編集機で編集した完パケ素材を、ビデオサーバシステムに取り込む場合に、番組素材を本編（ロール）単位で分割または管理しなくても、ビデオサーバシステムで自動的に本編（ロール）を分割または管理して取り込みするシステムである。なお、番組素材や完パケ素材等の素材には、それらを特定するＩＤが付され、かつ、分割、管理、収録、等の際の識別に利用される。
以下、添付図面を参照しながら本発明の実施形態を詳細に説明する。なお、各図の説明において、同一の機能を有する構成要素には同一の参照番号を付し、重複を避けるため、できるだけ説明を省略する。
【実施例１】
【０００９】
図１〜図２によって、本発明のノンリニア編集送出システムの一実施例を説明する。図１は、本発明の一実施例のノンリニア編集送出システムの構成を示すブロック図である。また、図２は、本発明のノンリニア編集送出システムの一実施例において、完パケ素材とＣＭチャンスとを説明するための図である。図２において、ノンリニア編集機の表示部に表示される完パケ素材を模式的に示した図であり、横軸は、タイムラインを示す。１００はノンリニア編集送出システム、１１０はビデオサーバシステム、１２０は各完パケ素材を所定の時間に番組として送出するための番組構成表や、各番組としての完パケ素材それぞれについての番組編集情報（ファイリングデータ）を有し、ビデオサーバシステム１１０を統制する上位装置である。また、１０１はノンリニア編集機、１０２はデータベース、１０３はビデオサーバ、１０４はＬＡＮ（Local Area Network）、１０５はデコーダ、１０６は制御部、１５１は入力端子、１５２は出力端子である。さらに、２００は完パケ素材を示し、２０１はＩＮ点、２０２〜２０４はＣＭチャンス、２０５はＯＵＴ点を示す図形である。
【００１０】
図１及び図２において、まず、最初に、編集マンは、入力端子１５１から入力される番組素材に対して、従来通り、素材編集を行い、完パケ素材２００を完成させる。
この時、編集マンは、図２に示すような表示画面上で、マウスやキーボード等の入力手段（図示しない）を用いて、ＧＵＩ（Graphical User Interface）操作することによって、ノンリニア編集機１０１を操作し、編集作業等を行う。例えば、編集マンは、これから編集する完パケ素材２００の本編長、挿入するＣＭの時間や数等の番組編集情報を、上位装置１２０に収録済みのファイリングデータから読出し、紙等の媒体に記載した内容を見て、編集を行う。なお、紙等の媒体に記載する人物は、誰でも良い。
即ち、編集マンは、ノンリニア編集機１０１を操作して、別途上位装置１２０から出力される番組編集情報をもとに編集を行う。例えば、編集マンは、図２に示すように、編集する完パケ素材２００について、タイムライン上でＩＮ点２０１、ＯＵＴ点２０２、及び、ＣＭチャンス２０２〜２０４の位置をマークする。
【００１１】
このマークの設定は、例えばノンリニア編集機１０１にプラグインなどで組込まれたアプリケーション上の機能として供給される。即ち、図３に示すように、タイムライン上のマーク位置のタイムコード情報を、例えばＸＭＬファイルとして、ファイル出力可能なものである。
この機能により、編集マンは、ＣＭチャンス２０２〜２０４等のマーク点に対して、本編分割後の捨てカットを意識しなくとも良い。編集マンは、ノンリニア編集機１０１の表示画面上で、ＧＵＩ操作等によって、完パケ素材２００に対してＣＭチャンスとして切れ目の良い箇所、または予め、ＣＭ挿入を想定していた箇所にマークするのみで良い。
【００１２】
編集マンの操作による上述のようなマーク設定等、完パケ素材の編集完了後、ノンリニア編集機１０１は、パブリッシュ機能を使ってパブリッシュを行う。これによって、ノンリニア編集機１０１は、完パケ素材２００を、ビデオサーバ１０３に取り込み可能な形式に変換し、変換した完パケ素材２００をビデオサーバシステム１１０に、ＬＡＮ１０４を介して出力する。また同時に、図３に示すように、ノンリニア編集機１０１は、取り込み可能となった完パケ素材２００についての本編分割情報ファイル３００を作成し、ビデオサーバシステム１１０にＬＡＮ１０４を介して出力する。本編分割情報ファイル３００は、例えば、ＥＤＬ（Edit Decision List）ファイルである。ＥＤＬファイルには、放送素材の編集情報として、例えば、素材の収録場所、素材名（ＩＤ）、編集点情報（本編分割情報ファイル３００）などを記述したファイルである。
ビデオサーバシステム１１０のビデオサーバ１０３は、入力された完パケ素材２００を収録する。また、ビデオサーバシステム１１０のデータベース１０２は、入力された本編分割情報ファイル３００を収録する。また、データベース１０２は、所定長の時間を所定長の捨てカットの時間として予め登録している。
【００１３】
なお、制御部１０６は、上位装置１２０からの制御命令に従い、ＬＡＮ１０４を介して、ビデオサーバシステム１１０を制御する。
また、制御部１０６は、例えば、上位装置１２０からのスタンバイ指示等を受信して、データベース１０２から読み出した本編分割情報ファイル３００の内容に基づいて、ビデオサーバ１０３から当該の完パケ素材２００を読み出し、デコーダ１０５で復号して、出力端子１５２から外部機器にベースバンドビデオ信号として、適時出力する。
即ち、ビデオサーバ１０３は、当該の完パケ素材２００をデコーダ１０５に出力する。デコーダ１０５は入力された完パケ素材２００を復号して、出力端子１５２から外部機器にベースバンドビデオ信号として出力する。
【００１４】
図３は、本発明のノンリニア編集送出システムの一実施例において、ビデオサーバシステム１１０のデータベース１０２に取り込まれる本編（ロール）分割情報ファイル３００のデータ構造の一例を示す図である。
図３において、完パケ素材２００に対する本編分割情報ファイル３００として、まず、本編分割数が４“本編数＝４”、本編１は、００：００：００：００〜００：１５：２０：００［時：分：秒：フレーム数］の間の時間の素材データ、本編２は、００：１５：２０：００〜００：２０：００：００の間の時間の素材データ、本編３は、００：２０：００：００〜００：４５：１２：００の間の時間の素材データ、本編４は、００：４５：１２：００〜００：５５：００：００の間の時間の素材データであることが記録されている。
【００１５】
制御部１０６の制御により、ビデオサーバ１０３に収録された完パケ素材２００は、本編分割情報ファイル３００を元に自動的に検尺され、各本編素材としてデータベース１０２に収録され、この時点で、ノンリニア編集機１０１で編集された完パケ素材２００の収録が完了する。
検尺は、例えば、ビデオサーバ１０３が、上位装置１２０から出力される番組編成情報（ファイリングデータ）と本編分割情報ファイル３００とを比較して、両者の本編長等のデータが一致しているか否かを判定し、一致していれば収録完了と判定する。
このとき、ビデオサーバシステム１１０の制御特性上、各本編素材に捨てカットが必要な場合には、データベース１０２により予め設定されている捨てカット長から、自動的に捨てカットのタイムコードを算出し、データとして収録及び管理する。これによって、制御部１０６は、上位装置１２０から所定の時間に出力される番組構成表による送出命令とデータベース１０２の本編分割情報ファイル３００を基に、ビデオサーバ１０３から、デコーダ１０５、出力端子１５２を介して、番組を送出する時に、図４に示すような捨てカット（１−１、２−０、２−１、３−０、３−１、４−０）を使用した送出が可能となる。所定の捨てカット長は、データベース１０２に予め収録されており、制御部１−６またはビデオサーバ１０３は、編集マンによってＣＭチャンス点が定められた時点で、このデータベース１０２に収録された所定の捨てカット長で、各捨てカットを自動的に設定する。例えば、所定の捨てカット長は、０［秒］、０．５［秒］、３［秒］、または５［秒］である。
なお、例えば、ＣＭチャンスの前の捨てカット長と、ＣＭチャンスの後ろの捨てカット長とを異なる時間長に設定するようにしても良い。
【００１６】
図４は、本発明のノンリニア編集送出システムの一実施例において、ビデオサーバ１０３に取り込み後の素材管理の一例について説明するためのイメージ図である。図４は、図２の本編（ロール）編集の結果を示している。
図４（ａ）は、本編（ロール）１がＩＮ点（時刻００：００：００：００）２０１〜ＣＭチャンス２０２まであり、その後、所定時間長の捨てカット１−１がつながっている。
図４（ｂ）は、本編（ロール）２がＣＭチャンス２０２〜ＣＭチャンス２０３まであり、その前に、所定時間長の捨てカット２−０があり、その後に、所定時間長の捨てカット２−１がつながっている。
図４（ｃ）は、本編（ロール）３がＣＭチャンス２０３〜ＣＭチャンス２０４まであり、その前に、所定時間長の捨てカット３−０があり、その後に、所定時間長の捨てカット３−１がつながっている。
図４（ｄ）は、本編（ロール）４がＣＭチャンス２０４〜ＯＵＴ点２０５まであり、その前に、所定時間長の捨てカット３−０があり、その後に、所定時間長の捨てカット３−１がつながっている。
【００１７】
上述の図１〜図４の実施例によれば、本編（ロール）編集時に、編集マンはＩＮ点、ＯＵＴ点、ＣＭチャンスを定めるだけで、捨てカットが自動的に定められるので、番組素材を分割し、分割した本編（ロール）単位で管理しなくても、ビデオサーバシステムによって自動的に本編分割と管理をして収録することができる。
【実施例２】
【００１８】
次に、図５、及び図２〜図４を用いて、本発明のノンリニア編集送出装置の第２の実施例について説明する。図５は、本発明の一実施例のノンリニア編集送出システムの構成を示すブロック図である。
図５は、図１の構成に比して、ビデオサーバ１０３をビデオサーバ５０３に変更し、ビデオサーバシステム１１０から制御部１０６を除去し、制御部５０６としてビデオサーバ５０３に内蔵したビデオサーバシステム５１０に変更し、ノンリニア編集送出装置１００をノンリニア編集送出装置５００に変更したものである。また、ビデオサーバシステム５１０のビデオサーバ５０３は、制御部５０６を内蔵したものである。
【００１９】
図５のノンリニア編集送出装置５００及び図２において、まず、最初に、編集マンは、入力端子１５１から入力される番組素材に対して、実施例１で説明したように、素材編集を行い、完パケ素材２００を完成させ、例えば、編集マンは、図２に示すように、編集する完パケ素材２００について、タイムライン上でＩＮ点２０１、ＯＵＴ点２０２、及び、ＣＭチャンス２０２〜２０４の位置をマークする。
編集マンの操作による上述のようなマーク設定等、完パケ素材の編集完了後、実施例１で説明したと同様に、ビデオサーバシステム５１０のビデオサーバ５０３は、入力された完パケ素材２００を収録する。また、ビデオサーバシステム５１０のデータベース１０２は、入力された本編分割情報ファイル３００を収録する。
【００２０】
なお、制御部５０６は、上位装置１２０からビデオサーバ５０３に与えられる制御命令に従い、ビデオサーバシステム５１０を制御する。また、制御部５０６は、例えば、上位装置１２０からビデオサーバ５０３に与えられるスタンバイ指示等に応答し、データベース１０２から読み出した本編分割情報ファイル３００の内容に基づいて、ビデオサーバ５０３内から当該の完パケ素材２００を読み出し、デコーダ１０５で復号して、出力端子１５２から外部機器にベースバンドビデオ信号として、適時出力する。
即ち、ビデオサーバ５０３は、当該の完パケ素材２００をデコーダ１０５に出力する。デコーダ１０５は入力された完パケ素材２００を復号して、出力端子１５２から外部機器にベースバンドビデオ信号として出力する。
図３は、本発明のノンリニア編集送出システムの一実施例において、ビデオサーバシステム５１０のデータベース１０２に取り込まれる本編分割情報ファイル３００のデータ構造の一例を示す図であり、図４は、図２の本編編集の結果を示している。
上記の構成によって、制御部５０６は、上位装置１２０から所定の時間に出力される番組構成表による送出命令とデータベース１０２の本編分割情報ファイル３００を基に、ビデオサーバ５０３から、デコーダ１０５、出力端子１５２を介して、番組を送出する時に、図４に示すような捨てカット（１−１、２−０、２−１、３−０、３−１、４−０）を使用した送出が可能となる。
【００２１】
上述の実施例２によれば、本編（ロール）編集時に、編集マンはＩＮ点、ＯＵＴ点、ＣＭチャンスを定めるだけで、捨てカットが自動的に定められるので、番組素材を分割し、分割した本編（ロール）単位で管理しなくても、ビデオサーバシステムによって自動的に本編（ロール）分割及び管理して収録することができる。
【実施例３】
【００２２】
次に、図６、及び図２〜図４を用いて、本発明のノンリニア編集送出装置の第２の実施例について説明する。図６は、本発明の一実施例のノンリニア編集送出システムの構成を示すブロック図である。
図６は、図１の構成に比して、ビデオサーバ１０３をビデオサーバ６０３に変更し、ビデオサーバシステム１１０からデコーダ１０５を除去して、デコーダ６０５としてビデオサーバ６０３に内蔵したビデオサーバシステム６１０に変更し、ノンリニア編集送出装置１００をノンリニア編集送出装置６００に変更したものである。
【００２３】
図６のノンリニア編集送出装置６００及び図２において、まず、最初に、編集マンは、入力端子１５１から入力される番組素材に対して、実施例１または実施例２で説明したように、素材編集を行い、完パケ素材２００を完成させ、例えば、編集マンは、図２に示すように、編集する完パケ素材２００について、タイムライン上でＩＮ点２０１、ＯＵＴ点２０２、及び、ＣＭチャンス２０２〜２０４の位置をマークする。
編集マンの操作による上述のようなマーク設定等、完パケ素材の編集完了後、実施例１または実施例２で説明したように、ビデオサーバシステム６１０のビデオサーバ６０３は、入力された完パケ素材２００を収録する。また、ビデオサーバシステム６１０のデータベース１０２は、入力された本編分割情報ファイル３００を収録する。
【００２４】
なお、制御部６０６は、上位装置１２０から実施例１と同様に動作してビデオサーバシステム６１０を制御する。
また、ビデオサーバ６０３は、当該の完パケ素材２００を内蔵したデコーダ６０５で復号して、出力端子１５２から外部機器にベースバンドビデオ信号として出力する。
図３は、本発明のノンリニア編集送出システムの一実施例において、ビデオサーバシステム６１０のデータベース１０２に取り込まれる本編分割情報ファイル３００のデータ構造の一例を示す図であり、図４は、図２の本編編集の結果を示している。
上記の構成によって、制御部６０６は、上位装置１２０から所定の時間に出力される番組構成表による送出命令とデータベース１０２のＥＤＬを基に、ビデオサーバ６０３から、デコーダ６０５、出力端子１５２を介して、番組を送出する時に、図４に示すような捨てカット（１−１、２−０、２−１、３−０、３−１、４−０）を使用した送出が可能となる。
【００２５】
上述の実施例３によれば、本編（ロール）編集時に、編集マンはＩＮ点、ＯＵＴ点、ＣＭチャンスを定めるだけで、捨てカットが自動的に定められるので、番組素材を分割し、分割した本編（ロール）単位で管理しなくても、ビデオサーバシステムによって自動的に本編（ロール）分割及び管理して収録することができる。
【実施例４】
【００２６】
次に、図７、及び図２〜図４を用いて、本発明のノンリニア編集送出装置の第２の実施例について説明する。図７は、本発明の一実施例のノンリニア編集送出システムの構成を示すブロック図である。
図７は、図５の構成に比して、ビデオサーバ５０３をビデオサーバ７０３に変更し、ビデオサーバシステム５１０からデコーダ１０５を除去して、デコーダ７０５としてビデオサーバ７０３に内蔵したビデオサーバシステム７１０に変更し、ノンリニア編集送出装置５００をノンリニア編集送出装置７００に変更したものである。
【００２７】
図７のノンリニア編集送出装置７００及び図２において、まず、最初に、編集マンは、入力端子１５１から入力される番組素材に対して、実施例１乃至実施例３で説明したように、素材編集を行い、完パケ素材２００を完成させ、例えば、編集マンは、図２に示すように、編集する完パケ素材２００について、タイムライン上でＩＮ点２０１、ＯＵＴ点２０２、及び、ＣＭチャンス２０２〜２０４の位置をマークする。
編集マンの操作による上述のようなマーク設定等、完パケ素材の編集完了後、実施例１乃至実施例３で説明したと同様に、ビデオサーバシステム７１０のビデオサーバ７０３は、入力された完パケ素材２００を収録する。また、ビデオサーバシステム７１０のデータベース１０２は、入力された本編分割情報ファイル３００を収録する。
【００２８】
なお、制御部５０６は、上位装置１２０から実施例２と同様に動作してビデオサーバシステム７１０を制御する。
また、ビデオサーバ７０３は、当該の完パケ素材２００を内蔵したデコーダ６０５で復号して、出力端子１５２から外部機器にベースバンドビデオ信号として出力する。
図３は、本発明のノンリニア編集送出システムの一実施例において、ビデオサーバシステム７１０のデータベース１０２に取り込まれる本編分割情報ファイル３００のデータ構造の一例を示す図であり、図４は、図２の本編編集の結果を示している。
上記の構成によって、制御部５０６は、上位装置１２０から所定の時間に出力される番組構成表による送出命令とデータベース１０２のＥＤＬを基に、ビデオサーバ７０３から、出力端子１５２を介して、番組を送出する時に、図４に示すような捨てカット（１−１、２−０、２−１、３−０、３−１、４−０）を使用した送出が可能となる。
【００２９】
上述の実施例４によれば、本編（ロール）編集時に、編集マンはＩＮ点、ＯＵＴ点、ＣＭチャンスを定めるだけで、捨てカットが自動的に定められるので、番組素材を分割し、分割した本編（ロール）単位で管理しなくても、ビデオサーバシステムによって自動的にルール分割及び管理して収録することができる。
【符号の説明】
【００３０】
１〜５：本編（ロール）、  １０１：ノンリニア編集機、  １０２：データベース、  １０３：ビデオサーバ、  １０４：ＬＡＮ、  １０５：デコーダ、  １０６：制御部、  １１０：ビデオサーバシステム、  １２０：上位機種、  １５１：入力端子、  １５２：出力端子、  ２００：完パケ素材、  ２０１：ＩＮ点、  ２０２〜２０４：ＣＭチャンス、  ２０５：ＯＵＴ点、  ３００：本編分割情報ファイル３００、  ５０３、６０３、７０３：ビデオサーバ、  ５０６：制御部、  ５１０、６１０、７１０：ビデオサーバシステム、６０５：デコーダ。
【図１】
2013150222.tif 000003
【図２】
2013150222.tif 000004
【図３】
2013150222.tif 000005
【図４】
2013150222.tif 000006
【図５】
2013150222.tif 000007
【図６】
2013150222.tif 000008
【図７】
2013150222.tif 000009